(57)【要約】  患者の身体の一部に装着するように構成された持続的腎機能代替療法装置であって、透析液を使って患者の血液から不純物を除去する直列に接続された複数の成形ダイアライザーと、使用済み透析液を再生するための直列に接続された複数の成形吸着剤装置とを備えた持続的腎機能代替療法装置。
2005509496.tif 000002
【特許請求の範囲】
【請求項１】
患者の身体の一部に装着するように構成された持続的腎機能代替療法装置であって、
透析液を使って患者の血液から不純物を取り除く複数のダイアライザーと、
透析液を再生させるための少なくとも１つの吸着剤装置と
を備えた持続的腎機能代替療法装置。
【請求項２】
複数のダイアライザーが直列接続されている請求項１に記載の持続的腎機能代替療法装置。
【請求項３】
ダイアライザーが複数の円筒状中空繊維を含んでなり、患者の血液は中空繊維内を第１方向に流れ、透析液は中空繊維の外壁の少なくとも一部の周りを第２方向に流れる請求項１に記載の持続的腎機能代替療法装置。
【請求項４】
中空繊維の外壁が不純物を血液から透析液中に移動させ得るように半透性である請求項３に記載の持続的腎機能代替療法装置。
【請求項５】
複数のダイアライザーがそれぞれ患者の体輪郭に一致するように構成された柔軟ケーシングを有する請求項１に記載の持続的腎機能代替療法装置。
【請求項６】
複数のダイアライザーのダイアライザー数は異なる透析処方を反映するように変え得る請求項１に記載の持続的腎機能代替療法装置。
【請求項７】
一連のダイアライザーの最初のダイアライザーに通じている血液入口チューブと、一連のダイアライザーの最後のダイアライザーからのびている血液出口チューブとをさらに備えた、請求項１に記載の持続的腎機能代替療法装置。
【請求項８】
血液入口チューブが血液中に抗凝血剤を注入するためのサイドポートを有する請求項７に記載の持続的腎機能代替療法装置。
【請求項９】
抗凝血剤が、ヘパリン、プロスタサイクリン、低分子ヘパリン、ヒルジンおよびクエン酸ナトリウムからなる群から選択される請求項８に記載の持続的腎機能代替療法装置。
【請求項１０】
血液出口チューブが添加剤を注入するためのサイドポートを有する請求項７に記載の持続的腎機能代替療法装置。
【請求項１１】
添加剤が複数の添加剤ポンプから血液中に送り込まれる請求項１０に記載の持続的腎機能代替療法装置。
【請求項１２】
各添加剤の注入速度が電子制御される請求項１１に記載の持続的腎機能代替療法装置。
【請求項１３】
添加剤が、クエン酸ナトリウム、重炭酸カルシウム、カリウムおよびナトリウムからなる群から選択される請求項１０に記載の持続的腎機能代替療法装置。
【請求項１４】
少なくとも１つの吸着剤装置が直列接続された複数の吸着剤装置である請求項１に記載の持続的腎機能代替療法装置。
【請求項１５】
少なくとも１つの吸着剤装置が並列接続された複数の吸着剤装置である請求項１に記載の持続的腎機能代替療法装置。
【請求項１６】
複数のダイアライザーが並列接続されている請求項１に記載の持続的腎機能代替療法装置。
【請求項１７】
ダイアライザーが半透性材料からなる複数の平行シートを含んでなり、患者の血液が平行シートの一方の面上を第１方向に流れ、透析液が平行シートの他方の面上を第２方向に流れる請求項１に記載の持続的腎機能代替療法装置。
【請求項１８】
患者の身体の一部に装着するように構成された持続的腎機能代替療法装置であって、
透析液を使って患者の血液から不純物を取り除く少なくとも１つのダイアライザーと、
透析液を再生させるための複数の吸着剤装置と
を備えた持続的腎機能代替療法装置。
【請求項１９】
複数のダイアライザーが直列接続されている請求項１８に記載の持続的腎機能代替療法装置。
【請求項２０】
吸着剤装置がそれぞれ患者の体輪郭に一致するように構成された柔軟ケーシングを有する請求項１８に記載の持続的腎機能代替療法装置。
【請求項２１】
吸着剤装置の数は異なる透析処方を反映するように変え得る請求項１８に記載の持続的腎機能代替療法装置。
【請求項２２】
少なくとも１つのダイアライザーに通じている再生透析液入口チューブと、少なくとも１つのダイアライザーからのびている使用済み透析液出口チューブとをさらに備えた、請求項１８に記載の持続的腎機能代替療法装置。
【請求項２３】
再生透析液入口チューブが添加剤を注入するためのサイドポートを有する請求項２２に記載の持続的腎機能代替療法装置。
【請求項２４】
添加剤が複数の添加剤リザーバから透析液中にポンプ注入される請求項２３に記載の持続的腎機能代替療法装置。
【請求項２５】
各添加剤の注入速度が電子制御される請求項２４に記載の持続的腎機能代替療法装置。
【請求項２６】
添加剤が、クエン酸ナトリウム、重炭酸カルシウム、カリウムおよびナトリウムからなる群から選択される請求項２３に記載の持続的腎機能代替療法装置。
【請求項２７】
使用済み透析液チューブが複数の吸着剤装置に通じており、再生透析液チューブが複数の吸着剤装置からのびている請求項２２に記載の持続的腎機能代替療法装置。
【請求項２８】
一連の吸着剤装置が一連の交換可能カートリッジである請求項１９に記載の持続的腎機能代替療法装置。
【請求項２９】
交換可能カートリッジが、活性炭、ウレアーゼ、リン酸ジルコニウム、水酸化ジルコニウムおよび活性カーボンを含む、請求項２８に記載の持続的腎機能代替療法装置。
【請求項３０】
少なくとも１つの吸着剤装置が並列接続された複数の吸着剤装置である請求項１８に記載の持続的腎機能代替療法装置。
【請求項３１】
少なくとも１つのダイアライザーが並列接続された複数のダイアライザーである請求項１８に記載の持続的腎機能代替療法装置。
【請求項３２】
少なくとも１つのダイアライザーが直列接続された複数のダイアライザーである請求項１８に記載の持続的腎機能代替療法装置。
【請求項３３】
ダイアライザーが半透性材料からなる複数の平行シートを含んでなり、患者の血液が平行シートの一方の面上を第１方向に流れ、透析液が平行シートの他方の面上を第２方向に流れる請求項３２に記載の持続的腎機能代替療法装置。
【発明の詳細な説明】
【技術分野】
【０００１】
本発明は透析システム、より詳細には患者が常時装着し得る透析システムに関する。
【背景技術】
【０００２】
血液透析は、ダイアライザーなどの濾過膜を用いて血液から顕微鏡的毒素を取り除くプロセスである。通常、血液透析は、１回３〜４時間で、間欠的に週に２、３回行われる。しかし、毎日２４時間、持続的腎機能代替療法（ＣＲＲＴ）を用いれば、血液からはるかに多くの毒素を除去できるので、間欠的透析よりもＣＲＲＴの方が好ましいという調査結果が増大している。ＣＲＲＴの利点としては、罹患率および予定死亡率が低いこと、必要な薬剤量が少ないこと、また、水分摂取量および食事制限が少ないことなどが挙げられる。
【０００３】
ＣＲＲＴは、２４時間連続して透析、血液濾過またはそれらの組み合わせを提供する機器を利用する。しかし、ＣＲＲＴ機器は、扱いにくく、重い上に、電気のコンセントや長い（数フィートの）チューブに接続しなければならない。その上、これらの機器は大量の未使用透析液の連続供給を必要とする。さらに、ＣＲＲＴ患者は、何時間もＣＲＲＴ装置につながれたままでいなければならないので、日常の活動が制限される。
【０００４】
ＣＲＲＴのさらなる問題は、毎日ＣＲＲＴ機器に再接続するのに、大血管に穿刺して動静脈シャントを形成することにより血流にアクセスする必要があることである。これらのシャントは、限られた時間存続するに過ぎず、感染、凝固、および他の合併症を引き起こしやすく、何回も入院したり、外科的介入を繰り返したりする結果を招く。
【発明の開示】
【発明が解決しようとする課題】
【０００５】
ＣＲＲＴ構想を用いて装着型透析装置を開発しようとする試みはこれまで不成功に終っている。通常のダイアライザーや関連吸着剤装置はかさばるので、装着型ＣＲＲＴ装置というコンセプトは大多数の透析患者にとって未だ現実のものとはなっていない。上記の不利点を考えると、持続的に毎日２４時間使用できる携帯型・装着型ＣＲＲＴ装置の必要性は依然として高い。
【課題を解決するための手段】
【０００６】
本発明の１つの態様は、透析液を使って患者の血液から不純物を取り除く直列接続された複数のダイアライザーと、使用済み透析液を再生させるための少なくとも１つの吸着剤装置とを備えた、患者の身体の一部に装着するように構成されたＣＲＲＴ装置に関する。
【０００７】
本発明の別の態様は、複数の円筒状中空繊維を含む複数のダイアライザーを備えた、患者の身体の一部に装着するように構成されたＣＲＲＴ装置に関し、この装置において、患者の血液は中空繊維内を第１方向に流れ、透析液は中空繊維の外壁の周りを逆の第２方向に流れ、中空繊維の外壁は不純物を血液から透析液中に移動させ得るように半透性である。
【０００８】
本発明のさらなる態様は、半透性材料からなる複数の平行シートを含む複数のダイアライザーを備えた、患者の身体の一部に装着するように構成されたＣＲＲＴ装置に関し、この装置において、患者の血液は平行シートの一方の面上を第１方向に流れ、透析液は平行シートの他方の面上を逆の第２方向に流れる。
【０００９】
本発明のさらなる態様は、複数のダイアライザーを備えた、患者の身体の一部に装着するように構成されたＣＲＲＴ装置に関し、この装置において、複数のダイアライザーのダイアライザー数は異なる透析処方を反映するように変え得、複数のダイアライザーはそれぞれ患者の体輪郭と一致するように構成された柔軟ケーシングを有する。
【００１０】
本発明のさらに別の態様は、添加剤を注入するためのサイドポートが付いた血液入口チューブを有する複数のダイアライザーを備えた、患者の身体の一部に装着するように構成されたＣＲＲＴ装置に関し、この装置において、添加剤は、複数の添加剤リザーバから血液中にポンプ注入され、各添加剤の注入速度は電子制御される。
【００１１】
本発明の別の態様は、透析液を使って患者の血液から不純物を取り除く少なくとも１つのダイアライザーと、透析液を再生させるための直列接続された複数の吸着剤装置とを備えた、患者の身体の一部に装着するように構成されたＣＲＲＴ装置に関する。
【００１２】
本発明のさらなる態様は、複数の吸着剤装置を備えた、患者の身体の一部に装着するように構成されたＣＲＲＴ装置に関し、この装置において、吸着剤装置はそれぞれ、患者の体輪郭に一致するように構成された柔軟ケーシングを有する。
【００１３】
本発明のさらなる態様は、一連の吸着剤装置を備えた、患者の身体の一部に装着するように構成されたＣＲＲＴ装置に関し、この装置において、一連の吸着剤装置は、活性炭、ウレアーゼ、リン酸ジルコニウム、水酸化ジルコニウムおよび／または活性カーボンを含み得る一連の交換可能カートリッジである。
【００１４】
本発明のさらなる態様は、並列接続された複数のダイアライザーを備えた、患者の身体の一部に装着するように構成されたＣＲＲＴ装置に関する。
本発明のさらに別の態様は、並列接続された複数の吸着剤装置を備えた、患者の身体の一部に装着するように構成されたＣＲＲＴ装置に関する。
【００１５】
本発明のさらなる適用は、詳細な説明と添付図面を再検討すれば明らかになるであろう。詳細な説明と実施例は、本発明の好ましい実施形態を示しているが、本発明の範囲を限定するものではなく、本発明の精神および範囲内の種々の変更および修正は当業者には明らかになるであろう。
【００１６】
本発明は、以下の詳細な説明と合わせて添付図面からより完全に理解されるようになるであろうが、これらの図面は、例示目的で示されており、本発明の範囲を限定するものと解釈してはならない。
【発明を実施するための最良の形態】
【００１７】
好ましい実施形態の詳細な説明
図面の説明を始める前に、本特許文献の語および句の解釈に関する指示を与えたい。より具体的に言うと、多くの管轄区域は、特許権者が自身の辞書編集者としての役を務めることを認め、それによって、特許権者が、特許文献において、当該文献の語、用語および句を法的事項としてどのように解釈すべきかに関する指示を与えることを認めている。例えば、米国においては、特許権者が自身の辞書編集者としての役を務めるという特権は、制定および判例法に基いて完全に確立されている。したがって、以下の項は、本特許文献の語、用語および句の解釈に関する規則を規定するものである。
解釈規則
規則１：  以下に「特別定義用語」項を示す。この特別定義用語に明白に定義されている語、用語または句は、特別な定義を有するものと解釈すべきであり、したがって、当然、その中に提供されている明白な定義はこれらの用語の定義に役立つ。したがって、本特
許明細書および外的証拠などの情報源はこれらの用語の定義を助けるために用いてはならず、明示された定義が支配する。
【００１８】
規則２：  語、用語または句が明白に定義されていない場合、その定義は、先ず第１に、本特許文献の出願時に存在する辞書および技術用語集の助けを借りて決定すべきである。（以下の特別定義用語項の「辞書および技術用語集」の定義参照。）辞書および記述用語集がしばしば代替定義を示すことは普通である。また、異なる辞書および異なる用語集に示されている定義は異なることが多く、必ずしも完全に一致してはいない。その場合、どの定義が本特許文献に最も合致しているかを決定しなければならない。以下に記載の規則３および４は、語、用語または句の代替定義間の選択に関するいくらかのガイドラインを提供する。
【００１９】
規則３：  解釈または定義エイドとしての（特別定義用語項以外の）本明細書の役割は、（上記）規則２の要件を満たす代替定義間での選択を助けることに限定される。
規則４：  解釈または定義エイドとしての外的証拠（例えば、鑑定証書）の役割は、（上記）規則２の要件を満たす代替定義間での選択を助けることに限定される。
特別定義用語
本発明：  本発明の少なくともいくつかの実施形態を意味し、本文献全体を通した「本発明」の種々の特徴への言及は、権利請求されているすべての実施形態または方法が言及された特徴を含むことを意味してはいない。
【００２０】
辞書および／または技術用語集：  主目的が、語、用語および／または句の定義である任意の文献であり、他方、特別な語、句または用語の定義を与えるためでなく、単に装置または方法の例を検討、説明または提供するに過ぎない文献は、辞書および／または技術用語集とはみなされない。
【００２１】
血液透析：  顕微鏡的毒素を（例えば、ダイアライザーなどの）濾過膜の一方の側から他方の側に移動させるプロセスであって、血液中の老廃物および余分な化学物質（電解質を含むがそれには限定されない）は膜を通過してそれらの毒素を含まない（例えば、透析液などの）溶液中に流れ込む。
【００２２】
透析液：  水と、グルコースと、特定の要素（電解質を含むがそれには限定されない）との混合物からなり得る透析用流体。透析中、血液中の老廃物や余分な化学物質は（例えば、ダイアライ600ザーなどの）濾過膜を通過して透析液中に流れ込む。
【００２３】
ダイアライザー：  透析中の老廃物や余分な化学物質（電解質を含むがそれには限定されない）の濾過に用いられる濾過膜。通常、ダイアライザーは、透析液で囲まれた多くの中空膜繊維を含む人工腎臓である。血液は中空膜の内側を流れるが、血液由来の毒素は膜壁を通過して透析液中に移動する。精製された血液は中空膜の内側にとどまり、身体に戻される。
【００２４】
上記定義が（特に辞書および／または技術用語集により一般に分るような）通常の明白で慣れ親しんだ意味と一致する場合には、上記定義は事実上補足的であるとみなされる。上記定義が（特に辞書および／または技術用語集により一般に分るような）通常の明白で慣れ親しんだ意味と一致しない場合には、上記定義が支配する。上記定義が何らかの点で通常の明白な慣れ親しんだ意味より広義である場合、少なくともそれらの広い解釈に関連して上記定義が支配する。
【００２５】
特許権者が適用法下に自身の辞書編集者としての役を務める場合、特許請求項に現われるすべての言葉は、上記定義の言葉を除き、（特に辞書および／または技術用語集により
一般に分るような）通常の明白な慣れ親しんだ意味を有し、本明細書で特別に定義されているとはみなされないものとここにさらに定められる。「特別定義」の推論へのこの制限にもかかわらず、特許請求の範囲に用いられている語または用語が１つ以上の通常の明白な慣れ親しんだ代替意味を有し、本明細書が代替間の選択に役立つ場合には、本明細書は、（特に辞書および／または技術用語集により一般に分るような）通常の明白で慣れ親しんだ意味を明白に示すために用い得る。
【００２６】
図１および図２を参照すると、持続的腎機能代替療法（ＣＲＲＴ）装置１０は、透析患者１５の身体の一部の周りに装着するように構成されている。このＣＲＲＴ装置１０はベルト２０を備えており、ベルト２０は、血管から延びている血液入口チューブ３３と、血管に通じている血液出口チューブと、吸着剤部４０と、添加剤ポンプ部５０と、マイクロプロセッサおよび装置１０に電力を供給するバッテリーを有する電子制御部６０とを含む複数の部分に分割されている。
【００２７】
特に図２に示すように、ベルト２０は、一対の末端部７０、７５を有し、これらの末端部は、バックル、スナップ、ボタンまたはフック、およびループファスナーなどの従来型ベルトファスナー８０で互いに固定される。図１に示されているＣＲＲＴ装置１０は患者１５のウエストの周りに装着されているが、装置１０は、代案として、例えば患者の肩の上など、患者の身体の他の部分の周りに装着してもよい。
【００２８】
図３を参照すると、ベルト２０のダイアライザー部３０は、透析液１４０を使って患者１５の血液１５０から不純物を取り除く複数の小型ダイアライザー１００、１１０、１２０、１３０を有する。複数のダイアライザー１００、１１０、１２０、１３０のダイアライザー１００、１１０、１２０、１３０の数は、異なる透析処方を反映するように変え得る。特に図３に示すように、複数のダイアライザー１００、１１０、１２０、１３０は、直列に接続されており、患者の血液１５０は、従来型ポンプにより、血液入口チューブ３３を通り、ダイアライザー１００、１１０、１２０、１３０を通って血液出口チューブ３７に押し進められる。ダイアライザー１００、１１０、１２０、１３０は、本発明の範囲から逸脱することなく、並列に接続し得る。
【００２９】
透析中、透析液は、従来型ポンプ（図示せず）を用いて、矢印１２５、１３５、１４５で示されているように、血流と反対方向に送り込まれる。使用済み透析液１４０は、使用済み透析液チューブ３７０を通って吸着剤部４０方向に流れる。余分な流体は、使用済み透析液１４０から容量チャンバ（ｖｏｌｕｍｅｔｒｉｃ  ｃｈａｍｂｅｒ）１５５を通って廃棄物容器６５中に除去され、廃棄物容器は患者がタップを介して定期的に空にする。電子部６０のマイクロプロセッサは、容量チャンバ１５５を介した流体の除去速度および量を決定する。
【００３０】
さらに図３を参照すると、血液入口チューブ３３はサイドポート１８０を有し、このサイドポートを介して抗凝血剤が抗凝血剤ポンプ１９０により血液中に送り込まれる。血液中に注入される代表的な抗凝血剤には、ヘパリン、プロスタサイクリン、低分子ヘパリン、ヒルジンおよびクエン酸ナトリウムが含まれるが、それらには限定されない。図４で最もよく分るように、血液出口チューブ３７は添加剤を注入するためのサイドポート２００を有しており、添加剤は、複数の添加剤ポンプ２７０、２８０、２９０、３００から血液１５０中に押し進められる。このためには、ピストン、サクションまたはローラーポンプを用い得る。各添加剤ポンプ２７０、２８０、２９０、３００は、制御量の各添加剤を血液１５０中に押し進めるが、各添加剤の注入速度は電子制御部６０のマイクロプロセッサにより電子制御される。公知のように、医師は、電子制御部６０を使って、各添加剤の注入速度を各添加剤の所定用量に一致するように設定することができる。添加剤は、血液１５０中に注入する前に混合させてはならないので、別個の回路３０５を有する。代表的な
添加剤としては、クエン酸ナトリウム、重炭酸カルシウム、カリウムおよびナトリウムがあるが、それらには限定されない。
【００３１】
図５を参照すると、第１ダイアライザー実施形態において、各ダイアライザー１００、１１０、１２０、１３０は、血液１５０を循環させる複数の円筒状中空繊維３１０を含む従来型ダイアライザーである。矢印３２０、３３０で示されているように、透析液１４０は、矢印３２５、３３５で示されているように、中空繊維の外壁３５０の周りを、中空繊維３１０内の血流を横切る方向に流れる。中空繊維３１０の外壁３５０は、不純物を血液１５０から透析液１４０中に移動させ得るように半透性（ｓｅｍｉｐｏｒｏｕｓ）である。未使用透析液１４０は吸着剤部４０から透析液入口チューブ３６０を通って一連のダイアライザー１００、１１０、１２０、１３０内に流れ込む。次いで、使用済み透析液１４０は、一連のダイアライザー１００、１１０、１２０、１３０から使用済み透析液出口チューブ３７０を通って吸着剤部４０内に流れ込む。透析液入口チューブ３６０は、添加剤を注入するためのサイドポート３８０（図３に示す）を有し、添加剤は、上述の添加剤ポンプ２７０、２８０、２９０、３００を介して血液１５０中に押し進めることができ、添加剤注入速度は、電子制御部６０のマイクロプロセッサによって電子制御される。図６を参照すると、第２ダイアライザー実施形態において、各ダイアライザー１００、１１０、１２０、１３０は、半透性材料からなる複数の平行シート３９０を含み、透析液１４０は平行シート３９０の一方の面上を流れ、血液１５０は平行シート３９０の他方の面上を一定方向に流れる。各実施形態のダイアライザーは従来品あり、公知である。
【００３２】
図７を参照すると、各ダイアライザー１００、１１０、１２０、１３０は、患者の体輪郭に一致するように構成された柔軟ケーシング４００を有する小型ダイアライザーである。さらに、各ケーシング４００の身体側の壁４１０は、ユーザーの体曲線にさらに一致するように窪んだ形状をなす。ケーシング４００は、装着する身体部分に一致させるのに適した柔軟性を有する任意の適当な材料製であってよい。適当な材料としては、ポリウレタンやポリ塩化ビニルがあるが、それらには限定されない。
【００３３】
図８〜図１０を参照すると、吸着剤部４０において、矢印４１５で示されているように、使用済み透析液１４０は、ダイアライザー部３０から使用済み透析液チューブ３７０を通って複数の吸着剤装置４２０、４３０、４４０、４５０、４６０内に流れ込む。次いで、矢印４６５で示されているように、再生された透析液１４０はチューブ３６０を通ってダイアライザー部３０に戻る。吸着剤装置４２０、４３０、４４０、４５０、４６０は、使用済み透析液１４０を再生させるための一連の吸着剤カートリッジ４２０、４３０、４４０、４５０、４６０を含んでいる好ましい。本発明のＣＲＲＴ装置１０は、吸着剤カートリッジ４２０、４３０、４４０、４５０、４６０で透析液を再生させることにより、シングルパス血液透析装置の透析液量よりはるかに少ない量の透析液しか必要としない。各吸着剤カートリッジ４２０、４３０、４４０、４５０、４６０は、異なる吸着剤が入った小型吸着剤カートリッジ４２０、４３０、４４０、４５０、４６０であることが重要である。
【００３４】
図８を参照すると、吸着剤部４０の第１実施形態には、活性炭カートリッジ４２０、ウレアーゼカートリッジ４３０、リン酸ジルコニウムカートリッジ４４０、水酸化ジルコニウムカートリッジ４５０および活性カーボンカートリッジ４６０を含めた５種の吸着剤カートリッジ４２０、４３０、４４０、４５０、４６０が存在する。これらの吸着剤は市販のＲｅｃｉｒｃｕｌａｔｉｎｇ  Ｄｉａｌｙｓｉｓ（ＲＥＤＹ）Ｓｙｓｔｅｍで用いられている吸着剤に類似していることが当業者には分るであろう。しかし、ＲＥＤＹ  Ｓｙｓｔｅｍでは、吸着剤は単一カートリッジからなる層である。それに対し、本発明の吸着剤は、各カートリッジ４２０、４３０、４４０、４５０、４６０を都合よく交換して、他の４２０、４３０、４４０、４５０、４６０と独立に配置し得るように、各部が別個の吸着
剤カートリッジ４２０、４３０、４４０、４５０、４６０である。本発明のＣＲＲＴ装置１０における吸着剤として使用し得る化学物質は、活性炭、ウレアーゼ、リン酸ジルコニウム、水酸化ジルコニウムおよび活性カーボンだけではないことが当業者には分るであろう。実際、本発明の範囲から逸脱せずに、任意の数の追加または代替吸着剤を使用し得る。
【００３５】
図９および図１０を参照すると、吸着剤部４０の第２実施形態には、複数の吸着剤カートリッジ５００、５１０、５２０、５３０が存在し、各カートリッジ５００、５１０、５２０、５３０は、複数の吸着剤層５４０、５５０、５６０、５７０、５８０、すなわち、活性炭層５４０、ウレアーゼ層５５０、酸化ジルコニウム層５６０、水酸化ジルコニウム層５７０、活性カーボン層５８０を有する。カートリッジは５００、５１０、５２０、５３０は、図９に示されているように直列であっても、図１０に示されているように並列であってもよい。この実施形態において、吸着剤装置の数は異なる透析処方に一致するように変え得る。
【００３６】
図１１を参照すると、各カートリッジ５００、５１０、５２０、５３０は、患者の体輪郭に一致するように構成された柔軟ケーシング６００を有する小型カートリッジである。さらに、各ケーシング６００の身体側の壁６１０はユーザーの体曲線にさらに一致するようにくぼんだ形をしている。ケーシング６００は、装着する身体部分に一致させるのに適した柔軟性を有する任意の適当な材料製であってよい。適当な材料としては、ポリウレタンやポリ塩化ビニルがあるが、それらには限定されない。
【００３７】
上述の発明には多くの変形形態が可能である。そのような変形形態は、本発明の精神および範囲から逸脱したものではなく、適用法によって許容される最大範囲で、以下の特許請求の範囲内に包含されるべき主題とみなされる。
【図面の簡単な説明】
【００３８】
【図１】透析患者のウエストの周りに装着された本発明の装着型ＣＲＲＴ装置の斜視図。
【図２】透析患者から取り外された後の、図１の装着型ＣＲＲＴ装置の正面図。
【図３】本発明の装着型ＣＲＲＴ装置ダイアライザー部の斜視図。
【図４】本発明の装着型ＣＲＲＴ装置の添加剤ポンプおよびダイアライザー部の斜視図。
【図５】本発明の装着型ＣＲＲＴ装置のダイアライザー第１実施形態の断面図。
【図６】本発明の装着型ＣＲＲＴ装置のダイアライザー第２実施形態の断面図。
【図７】本発明の装着型ＣＲＲＴ装置のダイアライザーケーシングの上面図。
【図８】本発明の装着型ＣＲＲＴ装置の吸着剤部第１実施形態の斜視図。
【図９】本発明の装着型ＣＲＲＴ装置の吸着剤部第２実施形態の斜視図。
【図１０】本発明の装着型ＣＲＲＴ装置の吸着剤部第２実施形態の変形形態の斜視図。
【図１１】本発明の装着型ＣＲＲＴ装置の吸着剤装置ケーシングの上面図。
【図１】
2005509496.tif 000003
【図２】
2005509496.tif 000004
【図３】
2005509496.tif 000005
【図４】
2005509496.tif 000006
【図５】
2005509496.tif 000007
【図６】
2005509496.tif 000008
【図７】
2005509496.tif 000009
【図１１】
2005509496.tif 000010
【図８】
2005509496.tif 000011
【図９】
2005509496.tif 000012
【図１０】
2005509496.tif 000013
【国際調査報告】
2005509496.tif 000014
2005509496.tif 000015